(57)【要約】【課題】腰壁の見栄えを向上しかつ手摺りの取付を容易とする。【解決手段】家屋内部の壁パネル２の表面を床面Ｆから腰高さまで覆う腰壁の構造であって、前記壁パネル２の表面２ａに配された腰壁面材３と、該腰壁面材３の上縁に沿ってのびる見切り材４とを具える。前記見切り材４を、前記壁パネル２の内部で上下にのびかつ水平方向に隔設された縦桟２Ｃにビス又は釘を含む固着手段Ｋを用いて固着する。この見切り材に前記固着手段Ｋを隠蔽する化粧材５を取り付ける。【選択図】  図１
2004285740.tif 000002
【特許請求の範囲】
【請求項１】
家屋内部の壁パネルの表面を床面から腰高さまで覆う腰壁の構造であって、
前記壁パネルの表面に配された腰壁面材と、該腰壁面材の上縁に沿ってのびる見切り材とを具え、
かつ前記見切り材を、前記壁パネルの内部で上下にのびかつ水平方向に隔設された縦桟にビス又は釘を含む固着手段を用いて固着するとともに、
この見切り材に前記固着手段を隠蔽する化粧材を取り付けたことを特徴とする腰壁の構造。
【請求項２】
前記見切り材に、手摺りを支持する手摺り取付金具を固着したことを特徴とする請求項１記載の腰壁の構造。
【請求項３】
前記見切り材は、壁パネルと略平行な板状の基部と、この基部の上端から前方にのびかつ下方に小長さで折れ曲がる上の係止部と、前記基部の下端から前方にのびかつ上方に小長さで折れ曲がる下の係止部とを有することにより、長手方向に沿ってのびる溝状部を形成するとともに、
前記化粧材は、前記溝状部に脱着自在に配される長尺体からなり、かつ前記手摺り取付金具を前記化粧材を介して前記見切り材に取り付けたことを特徴とする請求項１又は２記載の腰壁の構造。
【発明の詳細な説明】
【０００１】
【発明の属する技術分野】
本発明は、外観を向上できしかも手摺りの取付に役立つ腰壁の構造に関する。
【０００２】
【従来の技術及び発明が解決しようとする課題】
従来、図７に示すように、家屋内部の例えば間仕切り用の壁パネルａに、腰壁ｂを設けることが行われている。この腰壁ｂは、床面ｆに沿ってのびる巾木ｃと、下地材ｄ１に化粧材ｄ２を重ねた腰壁面材ｄと、この腰壁面材ｄの上縁に沿ってのびる見切り材ｅとから構成され、間仕切り壁ａに高級感、重厚感などを付与する。
【０００３】
ところで、前記腰壁面材ｄや見切り材ｅなどは、従来、壁パネルの装飾的意味合いが強いものと考えられていたため、壁パネルａへの取付に際して高い取付強度は必要とされていなかった。従って、従来では、腰壁ｂの壁パネルａへの取付は、美観を損なわないように例えば釘やビスなどを極力用いずに、例えば接着剤により固着するか、又は釘を用いる場合でも細径の仕上げ用のフィニッシュネイルｇといった取付強度の低い固着手段を用いて固着されていた。また、この腰壁ｂの高さは、概ね床面ｆから７５０ｍｍ前後に設定されていた。
【０００４】
他方、高齢者への対応として、家屋内部の間仕切り壁等に手摺りを設置する改造等が行われることがある。一般に、手摺りの高さは床面から概ね７５０ｍｍ程度が推奨されている。従って、腰壁を有する壁面に手摺りを後付にて取り付ける場合、手摺りの高さとの関係上、前記腰壁の見切り材ｅに手摺りの取付金具などを固着しなければならない場合がある。
【０００５】
しかしながら、従来の腰壁ｂは、間仕切り壁ａとの取付強度が低いため、例えば前記見切り材ｅに手摺りの取付金具を直接固着することができない。従って、例えば壁パネルａの内部に配された桟材の位置を外部から推測し、その位置を狙って手摺りの取付金具を固着する必要があり、作業性に劣る他、桟材が壁パネルａ内部を上下にのびる縦桟の場合、前記取付金具の水平方向の取付ピッチが縦桟の配設ピッチに拘束されてしまうという問題がある。また桟材が、壁パネルａの内部を水平方向にのびる横桟である場合、前記手摺りの取付金具の高さ方向の取付位置が横桟の位置に拘束されてしまうという問題がある。
【０００６】
本発明は、以上のような問題点に鑑み案出なされたもので、前記見切り材を、壁パネルの内部で上下にのびかつ水平方向に隔設された縦桟にビス又は釘を含む固着手段を用いて固着するとともに、この見切り材に前記固着手段を隠蔽する化粧材を取り付けることを基本として、美観を向上しつつ見切り材と壁パネルの取付強度を高め、該見切り材への手摺り取付金具の直接の取付を可能としうる腰壁の構造を提供することを目的としている。
【０００７】
【課題を解決するための手段】
本発明のうち請求項１記載の発明は、家屋内部の壁パネルの表面を床面から腰高さまで覆う腰壁の構造であって、前記壁パネルの表面に配された腰壁面材と、該腰壁面材の上縁に沿ってのびる見切り材とを具え、かつ前記見切り材を、前記壁パネルの内部で上下にのびかつ水平方向に隔設された縦桟にビス又は釘を含む固着手段を用いて固着するとともに、この見切り材に前記固着手段を隠蔽する化粧材を取り付けたことを特徴としている。
【０００８】
また請求項２記載の発明は、前記見切り材に、手摺りを支持する手摺り取付金具を固着したことを特徴とする請求項１記載の腰壁の構造である。
【０００９】
また請求項３記載の発明は、前記見切り材は、壁パネルと略平行な板状の基部と、この基部の上端から前方にのびかつ下方に小長さで折れ曲がる上の係止部と、前記基部の下端から前方にのびかつ上方に小長さで折れ曲がる下の係止部とを有することにより、長手方向に沿ってのびる溝状部を形成するとともに、前記化粧材は、前記溝状部に脱着自在に配される長尺体からなり、かつ前記手摺り取付金具を前記化粧材を介して前記見切り材に取り付けたことを特徴とする請求項１又は２記載の腰壁の構造である。
【００１０】
【発明の実施の形態】
以下本発明の実施の一形態を図面に基づき説明する。
本発明は、図１、図２に示すように、家屋内部の壁パネル２の表面２ａを床面Ｆから腰高さまで覆う腰壁の構造であって、本実施形態では、前記壁パネル２の表面２ａに配された腰壁面材３と、該腰壁面材３の上縁に沿ってのびる見切り材４と、前記腰壁面材３の下縁側を床面Ｆに沿って水平方向にのびる巾木６を具えている。
【００１１】
前記壁パネル２は、本例では図３に略示するように、木質材からなる上枠２Ａ、下枠２Ｂ、両側の縦枠２Ｃ、２Ｃを矩形に配した枠組の内外に面材２Ｆ、２Ｆを添設した家屋の間仕切り用の壁パネルを例示している。またこの壁パネル２には、前記枠組を補強するために、上下にのびる木質材からなり水平方向に所定のピッチを隔てて隔設された縦桟２Ｄと、水平方向にのびる横桟２Ｅとが配される。
【００１２】
前記腰壁面材３は、本実施形態では例えば合板などから形成され前記壁パネルの面材２Ｆに貼り付けされた下地板３ａと、この下地板３ａの外側に配された化粧板３ｂとから構成されたものを例示している。前記下地板３ａは、例えば接着剤ないし接着剤とステープルなどにより前記壁パネルの表面２ａをなす前記面材２Ｆに貼り付けされる。またこの下地板３ａの外側には、前記床面Ｆに沿って前記巾木６が固着される。該巾木６は、例えば接着剤を用いて前記下地板３ａに貼り付けされるとともに釘頭のない仕上げ釘（フィニッシュネイル）を併用し前記下地板３ａと一体に固着される。
【００１３】
また前記化粧板３ｂは、本実施形態では、図４、図５に示す如く、複数の化粧板片７を継ぎ合わせて形成されたものを例示している。前記化粧板片７は、その一方のそばに、雄ざね部１１を形成するとともに、他方のそばには前記雄ざね部１１が嵌入しうる雌ざね部１２を設け、これらをいわゆる実矧ぎによって一体化し前記化粧板３ｂを形成している。なお前記化粧板片７の水平方向の巾寸法の整数倍を実質的に壁パネル２のモジュール巾とするときには、能率良く化粧板３ｂを形成、施工するのに役立つ。
【００１４】
また本例では図６（Ａ）に示す如く、前記化粧板片７の前記雌ざね部１２は、下地板３ａ側の第１の凸片１２Ａと、化粧面７Ａ側の第２の凸片１２Ｂとを有し、これらの間に上下にのびる溝１２Ｃを形成したものを例示している。この化粧板片７は、本例では接着剤にて前記下地板３ａに貼り付けされるとともに、前記第１の凸片１２Ａを仕上げ釘１６を用いて前記下地材３ａに釘着されたものを示す。
【００１５】
そして、図６（Ｂ）に示すように、この雌ざね部１２の前記溝１２Ｃに、隣り合う化粧板片７の雄ざね部１１が嵌入することにより、前記仕上げ釘１６を隠蔽している。また本例では、前記化粧面７Ａ側かつ化粧板片７の雄ざね部１１と雌ざね部１２とに、互いに向き合う斜面１７、１９をそれぞれ形成することにより、前記嵌まり合いによって化粧面７Ａ側に、上下にのびる溝１５を形成し、化粧板３ｂの意匠性を高めかつ重厚感を付与するのに役立たせている。
【００１６】
前記見切り材４は、本例では前記下地板３ａ及び化粧板３ｂの各上縁を覆って水平方向にのびる長尺体から形成されている。本例の見切り材４は、壁パネル２と略平行な板状の基部４ａと、この基部４ａの上端から前方にのびかつ下方に小長さで折れ曲がる上の係止部４ｂと、前記基部４ａの下端から前方にのびかつ上方に小長さで折れ曲がる下の係止部４ｃと、前記基部の上端から壁パネル２側にのび前記下地板３ａの上端を覆う覆い部４ｄとを有するものが例示されている。そして、前記基部４ａの外側に、前記上の係止部４ｂ、下の係止部４ｃによって区画されかつ長手方向に沿ってのびる溝状部４ｅが形成されている。
【００１７】
また見切り材４は、前記壁パネル２の縦桟２Ｄにビス又は釘を含む固着手段Ｋを用いて固着される。本例では見切り材４の前記基部４ａから、下地板３ａ、壁パネルの面材２Ｆを貫通し前記縦桟２Ｄに達する木ねじ２０を用いて固着している。前記固着手段Ｋには、木ねじ２０に変えて、例えば取付強度を十分に発揮できる釘（例えば、取付強度が低い仕上げ用のフィニッシュネイルなどを除く）なども用いることができる。このような腰壁の施工は、通常、家屋の新築施工とともに行われるため、前記縦桟２Ｄの位置は容易に把握することができ見切り材４の取付も困難となることはない。
【００１８】
そして前記縦桟２Ｄは、十分な強度を有する部材であるため、見切り材４をこの縦桟２Ｄに固着することにより、該見切り材４と壁パネル２との取付強度を大とし、荷重作用時においても壁パネル２から見切り材４が容易に離脱することを防止でき強固に一体化できる。
【００１９】
また本発明では、前記見切り材４に、前記固着手段Ｋをなす木ねじ２０を隠蔽する化粧材５を脱着自在に取り付けている。この化粧材５は、本例では見切り材４の溝状部４ｄに挿入されかつ上下の係止部４ｂ、４ｃによって抜け止めされた長尺なシート体から構成されている。そして、その外側面には、種々の装飾模様等が施され見切り材４と一体となって腰壁の美観を向上しうる。このような化粧材５は、前記溝状部の巾よりも小かつ上下の係止部４ｂ、４ｃの開口巾よりも僅かに大に形成され、前記溝状部４ｄに落とし込みないし化粧材５又は／及び見切り材４の弾性変形等によって容易に配することができ、かつ交換等に際しての取り外しをも容易としている。
【００２０】
また化粧材５は、見切り材４を縦桟２Ｄに固着している木ねじ２０を隠蔽しうるため、該木ねじ２０の頭部が外部に露出することによる腰壁の美観の悪化を防止できる。また化粧材５は、本例のように見切り材４に対して脱着自在に配したときには、該化粧材５の材質、色彩、模様などが種々異なる複数のバリエーションを予め用意しておき、これを好みに応じて前記見切り材４に配することにより、ユーザの種々のニーズに対応でき、かつ腰壁の汎用性を高めるのにも役立つ。
【００２１】
また本実施形態では、前記見切り材４に、手摺りＴを支持する手摺り取付金具８を固着したものを例示している。前記手摺りＴは、本例では壁パネル２から距離を隔てかつ腰壁と略同高さの位置に配された木質の丸棒からなるものを例示する。また前記手摺り取付金具８は、図１、図２に示す如く、本例では長手方向にのびる前記手摺りＴに所定のピッチを隔てて隔設されており、各々、Ｌ字状をなすとともに、その一端８Ａが前記手摺りＴにビス等にて固着されるとともに、他端８Ｂ側を前記見切り材４に本例ではビス２１を用いて固着されている。
【００２２】
前記見切り材４は、上述の如く壁パネル２と強固に固着されているため、手摺りＴに荷重が作用した場合でも、手摺り取付金具８、縦桟２Ｄに荷重が負担され見切り材４は、手摺り取付金具８を強固に保持できる。また見切り材４が壁パネル２と強固に取り付けられているため、手摺り取付金具８は、壁パネル２の縦桟２Ｄや横桟（図示せず）の位置に拘束されることなく見切り材４であれば任意の位置に取り付けできるため、例えば後付けによって手摺りＴを設ける改造時などにおいても、壁パネルの桟材の位置を調べる必要が無いなど手摺りの取付作業性が大幅に向上しうる。
【００２３】
また本実施形態では、前記手摺り取付金具８は、前記見切り材４に取り付けた化粧材５を介して見切り部材４に取り付けされたものを例示している。従って、化粧材５による腰壁の装飾効果を維持したまま手摺りＴの取付が可能となり、手摺りに取付に伴ない内装の美観が損なわれることが防止できる。
【００２４】
【発明の効果】
上述したように、請求項１記載の発明では、壁パネルの表面に配された腰壁面材と、該腰壁面材の上縁に沿ってのびる見切り材とを具え、かつ前記見切り材を、前記壁パネルの内部で上下にのびかつ水平方向に隔設された縦桟にビス又は釘を含む固着手段を用いて固着するとともに、この見切り材に前記固着手段を隠蔽する化粧材を取り付けた腰壁の構造としたことにより、見切り材と壁パネルとの取付強度を高めることができ、例えばこの見切り材に後付けによって手摺りの取付金具などを固着することが可能となる。
【００２５】
さらに、見切り材を縦桟に固着する固着手段は、前記化粧材により隠蔽されるため、固着手段が外部に露出することによる腰壁の美観の悪化を防止できる。
【００２６】
また請求項２記載の発明のように、前記見切り材に、手摺りを支持する手摺り取付金具を固着することにより、腰壁に手摺りを一体に取り付けすることができ、高齢者対応住宅への改造等が容易に行える。また、見切り材は、腰壁面材の上縁に沿ってのびるため、その範囲内において、手摺りの取付金具を取り付ける位置を前記縦桟の位置に拘わらず自在に設定でき、取付性を向上しうる。
【００２７】
また請求項３記載の発明は、前記見切り部材は、壁パネルと略平行な板状の基部と、この基部の上端から前方にのびかつ下方に小長さで折れ曲がる上の係止部と、前記基部の下端から前方にのびかつ上方に小長さで折れ曲がる下の係止部とを有することにより、長手方向に沿ってのびる溝状部を形成するとともに、前記化粧材は、前記溝状部に配される長尺体からなるため、見切り材の全巾に亘って美観を向上できる。また前記手摺り取付金具を前記化粧材を介して前記見切り部材に取り付けることにより、化粧材の美観を損ねること無く手摺りを取り付けることが可能となる。また化粧材は、見切り材に対して脱着自在に配されるため、材質、色彩、模様などが種々異なる複数のバリエーションの化粧材を予め用意しておき、これを好みに応じて前記見切り材に配することにより、種々のニーズに対応でき、腰壁の汎用性を高めるのにも役立つ。
【図面の簡単な説明】
【図１】本実施形態の腰壁の構造を例示する断面図である。
【図２】図１の分解斜視図である。
【図３】壁パネルの斜視図である。
【図４】腰壁面材を例示する斜視図である。
【図５】その断面図である。
【図６】（Ａ）、（Ｂ）は化粧板片の継ぎ合わせ部を拡大して示す部分断面図である。
【図７】従来の腰壁を例示する断面図である。
【符号の説明】
２  壁パネル
３  腰壁面材
４  見切り材
５  化粧材
６  巾木
８  手摺り取付金具
Ｆ  床面
Ｔ  手摺り
【図１】
2004285740.tif 000003
【図２】
2004285740.tif 000004
【図３】
2004285740.tif 000005
【図４】
2004285740.tif 000006
【図５】
2004285740.tif 000007
【図６】
2004285740.tif 000008
【図７】
2004285740.tif 000009